(57)【要約】  アドレス調整方法および装置、基地局、セッション管理機能（ＳＭＦ）ネットワーク要素、および記憶媒体が提供される。ソース基地局側からターゲット基地局側への端末のハンドオーバプロセスにおいて、端末のＰＤＵセッションのＵＰＦ分割状態が判定されてもよく、データ伝送トンネルアドレス調整が実現されてもよく、それにより、端末のハンドオーバプロセスにおけるＰＤＵセッションの分割制御の柔軟性を高め、端末がハンドオーバを完了後、ターゲット基地局側がデータ伝送トンネルアドレス調整を行なうためにＰＤＵセッションリソース修正／修正指示または他のプロセスを再度実行することを防止する。ＰＤＵセッションがＵＰＦ分割またはＵＰＦ非分割という妥当な状態にできるだけ早く入るように、ターゲット基地局側のリソースアドミッション制御効率を向上させることができ、ターゲット基地局側とコアネットワークとの間のシグナリングリソースを節約することができる。
2021516019.tif 000002
【特許請求の範囲】
【請求項１】
データ伝送トンネルアドレス調整方法であって、
ソース基地局側からターゲット基地局側への端末のハンドオーバプロセスにおいて、前記ターゲット基地局側での前記端末のプロトコルデータユニット（ＰＤＵ）セッションのユーザプレーン機能（ＵＰＦ）分割状態と、前記ターゲット基地局側で前記ＰＤＵセッションを保持するためのターゲットベアラ基地局とを判定するステップと、
前記ターゲットベアラ基地局によって前記ＰＤＵセッションに割当てられた基地局ダウンリンクアドレスを取得するステップと、
前記基地局ダウンリンクアドレスを、コアネットワークにおけるセッション管理機能（ＳＭＦ）ネットワーク要素に送信し、前記ターゲットベアラ基地局に割当てられたＵＰＦネットワーク要素アップリンクアドレスを前記ＳＭＦネットワーク要素から取得するステップと、
前記ターゲットベアラ基地局がＵＰＦネットワーク要素とデータ伝送トンネルを確立するために、前記ＵＰＦネットワーク要素アップリンクアドレスを前記ターゲットベアラ基地局に送信するステップとを含み、前記データ伝送トンネルは、前記ＰＤＵセッションを伝送するために使用される、データ伝送トンネルアドレス調整方法。
【請求項２】
前記ターゲット基地局側での前記ＰＤＵセッションの前記ＵＰＦ分割状態はＵＰＦ分割であるとの判定に応答して、前記ターゲットベアラ基地局は、前記ＰＤＵセッションのサービス品質（ＱｏＳ）データフローが前記ターゲット基地局側で分割されている基地局を含む、請求項１に記載のデータ伝送トンネルアドレス調整方法。
【請求項３】
前記ターゲット基地局側での前記ＰＤＵセッションの前記ＵＰＦ分割状態はＵＰＦ非分割であるとの判定に応答して、前記ターゲット基地局側がターゲットマスター基地局のみを含むという条件では、前記ターゲットベアラ基地局は前記ターゲットマスター基地局であり、前記ターゲット基地局側が前記ターゲットマスター基地局と少なくとも１つのターゲット二次基地局とを含むという条件では、前記ターゲットベアラ基地局は、前記ターゲットマスター基地局および前記少なくとも１つのターゲット二次基地局のうちの一方であり、前記ターゲットベアラ基地局は、前記ターゲット基地局側で前記ＰＤＵセッションを単独で保持する、請求項１に記載のデータ伝送トンネルアドレス調整方法。
【請求項４】
前記ターゲット基地局側でのターゲットマスター基地局によって、前記ターゲット基地局側での前記ＰＤＵセッションの前記ＵＰＦ分割状態と、前記ターゲット基地局側で前記ＰＤＵセッションに対応する前記ターゲットベアラ基地局とを判定する、請求項１〜３のいずれか１項に記載のデータ伝送トンネルアドレス調整方法。
【請求項５】
前記ターゲットマスター基地局は、前記ターゲットベアラ基地局によって前記ＰＤＵセッションに割当てられた前記基地局ダウンリンクアドレスを取得し、前記基地局ダウンリンクアドレスを、前記コアネットワークにおけるアクセスモビリティ機能（ＡＭＦ）ネットワーク要素を通して前記ＳＭＦネットワーク要素に送信し、前記ターゲットベアラ基地局に割当てられた前記ＵＰＦネットワーク要素アップリンクアドレスを前記ＡＭＦネットワーク要素を通して前記ＳＭＦネットワーク要素から取得する、請求項４に記載のデータ伝送トンネルアドレス調整方法。
【請求項６】
前記ターゲットマスター基地局は、対応する前記ターゲットベアラ基地局が、受信された前記ＵＰＦネットワーク要素アップリンクアドレスと前記ターゲットベアラ基地局によって前記ＰＤＵセッションに割当てられた前記基地局ダウンリンクアドレスとに従って、前記ＵＰＦネットワーク要素と前記データ伝送トンネルを確立するために、前記ＵＰＦネットワーク要素アップリンクアドレスを前記ターゲットベアラ基地局に転送する、請求項４に記載のデータ伝送トンネルアドレス調整方法。
【請求項７】
データ伝送トンネルアドレス調整方法であって、
ターゲット基地局側から送信された基地局ダウンリンクアドレスを受信するステップを含み、前記基地局ダウンリンクアドレスは、ソース基地局側から前記ターゲット基地局側への端末のハンドオーバプロセスにおいて、前記ターゲット基地局側で前記端末のプロトコルデータユニット（ＰＤＵ）セッションを保持するためのターゲットベアラ基地局から、前記ターゲット基地局側によって取得され、前記データ伝送トンネルアドレス調整方法はさらに、
前記基地局ダウンリンクアドレスが属する前記ターゲットベアラ基地局に、対応するユーザプレーン機能（ＵＰＦ）ネットワーク要素アップリンクアドレスを割当てるステップと、
前記ＵＰＦネットワーク要素アップリンクアドレスを前記ターゲット基地局側に転送するステップとを含む、データ伝送トンネルアドレス調整方法。
【請求項８】
データ伝送トンネルアドレス調整装置であって、
ソース基地局側からターゲット基地局側への端末のハンドオーバプロセスにおいて、前記ターゲット基地局側での前記端末のプロトコルデータユニット（ＰＤＵ）セッションのユーザプレーン機能（ＵＰＦ）分割状態と、前記ターゲット基地局側で前記ＰＤＵセッションを保持するためのターゲットベアラ基地局とを判定するように構成された分割処理モジュールと、
前記ターゲットベアラ基地局によって前記ＰＤＵセッションに割当てられた基地局ダウンリンクアドレスを取得するように構成されたダウンリンクアドレス取得モジュールと、
前記基地局ダウンリンクアドレスを、コアネットワークにおけるセッション管理機能（ＳＭＦ）ネットワーク要素に送信し、前記ターゲットベアラ基地局に割当てられたＵＰＦネットワーク要素アップリンクアドレスを前記ＳＭＦネットワーク要素から取得するように構成されたアップリンクアドレス取得モジュールと、
前記ターゲットベアラ基地局がＵＰＦネットワーク要素とデータ伝送トンネルを確立するために、前記ＵＰＦネットワーク要素アップリンクアドレスを前記ターゲットベアラ基地局に送信するように構成された調整処理モジュールとを含み、前記データ伝送トンネルは、前記ＰＤＵセッションを伝送するために使用される、データ伝送トンネルアドレス調整装置。
【請求項９】
データ伝送トンネルアドレス調整装置であって、
ターゲット基地局側から送信された基地局ダウンリンクアドレスを受信するように構成された受信モジュールを含み、前記基地局ダウンリンクアドレスは、ソース基地局側から前記ターゲット基地局側への端末のハンドオーバプロセスにおいて、前記ターゲット基地局側で前記端末のプロトコルデータユニット（ＰＤＵ）セッションを保持するためのターゲットベアラ基地局から、前記ターゲット基地局側によって取得され、前記データ伝送トンネルアドレス調整装置はさらに、
前記基地局ダウンリンクアドレスが属する前記ターゲットベアラ基地局に、ユーザプレーン機能（ＵＰＦ）ネットワーク要素アップリンクアドレスを割当てるように構成された処理モジュールと、
前記ＵＰＦネットワーク要素アップリンクアドレスを前記ターゲット基地局側に転送するように構成された送信モジュールとを含む、データ伝送トンネルアドレス調整装置。
【請求項１０】
第１のプロセッサと、第１のメモリと、第１の通信バスとを含む、基地局であって、
前記第１の通信バスは、前記第１のプロセッサと前記第１のメモリとの間の接続および通信を実現するように構成され、
前記第１のプロセッサは、請求項１〜６のいずれか１項に記載のデータ伝送トンネルアドレス調整方法のステップを実現するために前記第１のメモリに格納された１つ以上の第１のプログラムを実行するように構成される、基地局。
【請求項１１】
第２のプロセッサと、第２のメモリと、第２の通信バスとを含む、セッション管理機能ネットワーク要素であって、
前記第２の通信バスは、前記第２のプロセッサと前記第２のメモリとの間の接続および通信を実現するように構成され、
前記第２のプロセッサは、請求項７に記載のデータ伝送トンネルアドレス調整方法のステップを実現するために前記第２のメモリに格納された１つ以上の第２のプログラムを実行するように構成される、セッション管理機能ネットワーク要素。
【請求項１２】
請求項１〜６のいずれか１項に記載のデータ伝送トンネルアドレス調整方法のステップを実現するために１つ以上の第１のプロセッサによって実行される１つ以上の第１のプログラムを格納し、または、
請求項７に記載のデータ伝送トンネルアドレス調整方法のステップを実現するために１つ以上の第２のプロセッサによって実行される１つ以上の第２のプログラムを格納する、コンピュータ読取可能記憶媒体。
【発明の詳細な説明】
【技術分野】
【０００１】
本開示は通信分野に関し、特に、アドレス調整方法および装置、基地局、ＳＭＦネットワーク要素、および記憶媒体に関する。
【背景技術】
【０００２】
背景
第５世代（5-th generation：５Ｇ）システムは、５Ｇコアネットワーク（5G core network：５ＧＣ）と、次世代無線アクセスネットワーク（next generation radio access network：ＮＧ−ＲＡＮ）とを含む。５ＧＣは、アクセスモビリティ機能（access mobility function：ＡＭＦ）、セッション管理機能（session management function：ＳＭＦ）、およびユーザプレーン機能（user plane function：ＵＰＦ）などの基本ネットワーク要素を含み、ＮＧ−ＲＡＮは、ｅＮＢの進化に基づくＮｇ−ｅＮＢと、（新規無線（new radio：ＮＲ）エアーインターフェイスをサポートする）新たに設計されたｇＮＢという、少なくとも２つの異なるタイプの基地局を含む。ＮＧ−ＲＡＮ基地局は、ＮＧインターフェイスを通して５ＧＣに接続され、ＮＧ−ＲＡＮ基地局は、Ｘｎインターフェイスを通して互いに接続される。
【０００３】
ＮＧ−ＲＡＮシステムは、単一接続性（single connectivity：ＳＣ）および二重／多重接続性（dual/multiple connectivity：ＤＣ／ＭＣ）動作および機能をサポートする。ＤＣ／ＭＣモードでは、ＵＥは、エアーインターフェイスまたはネットワーク側に２つ以上のデータ伝送チャネルを有する。二重接続性は一例として使用され、単一接続性は、マスターノード（master node：ＭＮ）側のみが考慮される（二次ノード（secondary node：ＳＮ）との二次リンクがすべて削除される）場合の二重接続性の特殊なケースであり、多重接続性は、マルチリンク動作次元における二重接続性のさらなる拡張である。
【０００４】
二重接続性の下では、ＵＥは、エアーインターフェイスを通した２つのＮＧ−ＲＡＮ基地局との２つの独立した無線接続（たとえば、エアーインターフェイスデータ伝送チャネル）を同時に確立して維持する場合がある。一方の基地局はマスターノード（ＭＮ）と呼ばれ、他方の基地局は二次ノード（ＳＮ）と呼ばれる。ＭＮおよびＳＮは、ＮＧインターフェイスを通したコアネットワークのＵＰＦネットワーク要素との２つの独立したネットワーク側接続（ネットワークデータ伝送チャネル）を同時に確立して維持する場合がある。二重接続性の１つのアーキテクチャを、図１に示す。
【０００５】
図１では、破線は、ネットワーク要素間の制御プレーン接続を表わし、太い実線は、ユーザプレーン接続、すなわち、ネットワーク要素間のユーザデータ伝送チャネルを表わす。ＭＮ／ＳＮとＵＰＦネットワーク要素との間には、５Ｇコアネットワーク要素間のユーザプレーン接続が２つあり、２つの次世代ユーザプレーン（Next Generation-User Plane：ＮＧ−Ｕ）インターフェイスデータ伝送チャネルが存在し、それらは、ＵＰＦとＭＮとの間のＮＧ−Ｕ（たとえばＭＮ）データ伝送チャネルと、ＵＰＦとＳＮとの間のＮＧ−Ｕ（たとえばＳＮ）データ伝送チャネルである。これら２つのデータ伝送チャネルは、特定のプロトコルデータユニット（protocol data unit：ＰＤＵ）セッション／サービス品質（Quality of Service：ＱｏＳ）データフロー上で運ばれるアップリンクおよびダウンリンクデータパケットの伝送のために使用されてもよい。
【０００６】
現在のプロトコルによれば、ＮＧ−Ｕインターフェイス上では、ＵＥによって構成された各ＰＤＵセッションはデフォルトで、１つのＧＴＰトンネルに対応する。すなわち、１つのＵＰＦネットワーク要素アップリンクアドレスは、基地局ダウンリンクアドレスとペアになる。しかしながら、ＰＤＵのＵＰＦ分割機能の導入により、図２に示すように、単一のＰＤＵセッションがＱｏＳフロー１／２／３／４／５を含み、ＱｏＳフロー１／２はＭＮ側にアンカーされ、ＱｏＳフロー３／４／５はＳＮ側にアンカーされる。単一のＰＤＵセッションは、ＭＮ側およびＳＮ側双方での２つの独立したデータ伝送トンネルであるＧＴＰトンネル、すなわち、１つのＵＰＦネットワーク要素アップリンクアドレスおよび１つのＭＮダウンリンクアドレス＋別の１つのＵＰＦネットワーク要素アップリンクアドレスおよび１つのＳＮダウンリンクアドレスに対応してもよい。あるＵＥについて、当該ＵＥによって構成されたあるＰＤＵセッションがＵＰＦ分割である場合、当該ＵＥが移動しないシナリオでは、ＭＮ／ＳＮとＵＰＦとの間のアドレスペアの調整は、ＮＧＡＰプロトコル：ＰＤＵセッションリソースセットアップ／修正／修正指示および他のプロセスを通して達成されてもよい。
【０００７】
しかしながら、当該ＵＥが基地局を越えて移動するシナリオでは、ターゲット基地局側でのリソースアドミッション制御により、当該ＵＥのあるＰＤＵセッションがソース基地局側からターゲット基地局側へハンドオーバされる場合、当該ＰＤＵセッションは、ＵＰＦ非分割状態からＵＰＦ分割状態に、または、ＵＰＦ非分割状態からＵＰＦ非分割状態に切換えられる必要があるかもしれない。しかしながら、現在のＮＧＡＰプロトコルは、ＵＥが基地局を越えて移動する場合、ターゲット基地局とＵＰＦとの間のＰＤＵセッションのためのデータ伝送トンネルアドレスの調整をサポートすることができない。したがって、現在、ＵＥが基地局を越えて移動する場合、ＵＥのＰＤＵセッションは、ＵＰＦ分割状態またはＵＰＦ非分割状態に同時に切換えられることができない。ＰＤＵセッションがＵＰＦ分割状態またはＵＰＦ非分割状態に切換えられる必要がある場合、ＵＥがハンドオーバを完了して初めて、ターゲット基地局側は、データ伝送トンネルアドレスを調整するために、ＰＤＵセッションリソース修正／修正指示または他のプロセスを再度実行することができる。このデータ伝送トンネルアドレス調整態様は、ターゲット基地局側でのリソースアドミッション制御の低効率をもたらすだけでなく、基地局とコアネットワークとの間のシグナリングリソースのオーバーヘッドも増加させる。
【発明の概要】
【課題を解決するための手段】
【０００８】
概要
本開示の実施形態は、既存のデータ伝送トンネルアドレス調整態様が、ターゲット基地局側でのリソースアドミッション制御の低効率と、コアネットワークとのシグナリングリソースの大きいオーバーヘッドとをもたらすという技術的問題を主として解決する、アドレス調整方法および装置、基地局、ＳＭＦネットワーク要素、および記憶媒体を提供する。
【０００９】
上述の問題を解決するために、本開示の一実施形態は、データ伝送トンネルアドレス調整方法を提供する。この方法は、以下に説明されるステップを含む。
【００１０】
ソース基地局側からターゲット基地局側への端末のハンドオーバプロセスにおいて、ターゲット基地局側での端末のプロトコルデータユニット（ＰＤＵ）セッションのユーザプレーン機能（ＵＰＦ）分割状態と、ターゲット基地局側でＰＤＵセッションを保持するためのターゲットベアラ基地局とが判定される。
【００１１】
ターゲットベアラ基地局によってＰＤＵセッションに割当てられた基地局ダウンリンクアドレスが取得される。
【００１２】
基地局ダウンリンクアドレスは、コアネットワークにおけるセッション管理機能（ＳＭＦ）ネットワーク要素に送信され、ターゲットベアラ基地局に割当てられたＵＰＦネットワーク要素アップリンクアドレスがＳＭＦネットワーク要素から取得される。
【００１３】
ターゲットベアラ基地局がＵＰＦネットワーク要素とデータ伝送トンネルを確立するために、ＵＰＦネットワーク要素アップリンクアドレスはターゲットベアラ基地局に送信され、データ伝送トンネルは、ＰＤＵセッションを伝送するために使用される。
【００１４】
本開示の一実施形態はさらに、データ伝送トンネルアドレス調整方法を提供する。この方法は、以下に説明されるステップを含む。
【００１５】
ターゲット基地局側によって送信された基地局ダウンリンクアドレスが受信され、基地局ダウンリンクアドレスは、ソース基地局側からターゲット基地局側への端末のハンドオーバプロセスにおいて、ターゲット基地局側で端末のＰＤＵセッションを保持するためのターゲットベアラ基地局から、ターゲット基地局側によって取得される。
【００１６】
基地局ダウンリンクアドレスが属するターゲットベアラ基地局に、対応するＵＰＦネットワーク要素アップリンクアドレスが割当てられる。
【００１７】
ＵＰＦネットワーク要素アップリンクアドレスは、ターゲット基地局側に転送される。
本開示の一実施形態はさらに、データ伝送トンネルアドレス調整装置を提供する。この装置は、分割処理モジュールと、ダウンリンクアドレス取得モジュールと、アップリンクアドレス取得モジュールと、調整処理モジュールとを含む。
【００１８】
分割処理モジュールは、ソース基地局側からターゲット基地局側への端末のハンドオーバプロセスにおいて、ターゲット基地局側での端末のプロトコルデータユニット（ＰＤＵ）セッションのユーザプレーン機能（ＵＰＦ）分割状態と、ターゲット基地局側でＰＤＵセッションを保持するためのターゲットベアラ基地局とを判定するように構成される。
【００１９】
ダウンリンクアドレス取得モジュールは、ターゲットベアラ基地局によってＰＤＵセッションに割当てられた基地局ダウンリンクアドレスを取得するように構成される。
【００２０】
アップリンクアドレス取得モジュールは、基地局ダウンリンクアドレスを、コアネットワークにおけるセッション管理機能（ＳＭＦ）ネットワーク要素に送信し、ターゲットベアラ基地局に割当てられたＵＰＦネットワーク要素アップリンクアドレスをＳＭＦネットワーク要素から取得するように構成される。
【００２１】
調整処理モジュールは、ターゲットベアラ基地局がＵＰＦネットワーク要素とデータ伝送トンネルを確立するために、ＵＰＦネットワーク要素アップリンクアドレスをターゲットベアラ基地局に送信するように構成され、データ伝送トンネルは、ＰＤＵセッションを伝送するために使用される。
【００２２】
本開示の一実施形態はさらに、データ伝送トンネルアドレス調整装置を提供する。この装置は、受信モジュールと、処理モジュールと、送信モジュールとを含む。
【００２３】
受信モジュールは、ターゲット基地局側によって送信された基地局ダウンリンクアドレスを受信するように構成され、基地局ダウンリンクアドレスは、ソース基地局側からターゲット基地局側への端末のハンドオーバプロセスにおいて、ターゲット基地局側で端末のＰＤＵセッションを保持するためのターゲットベアラ基地局から、ターゲット基地局側によって取得される。
【００２４】
処理モジュールは、基地局ダウンリンクアドレスが属するターゲットベアラ基地局に、ＵＰＦネットワーク要素アップリンクアドレスを割当てるように構成される。
【００２５】
送信モジュールは、ＵＰＦネットワーク要素アップリンクアドレスをターゲット基地局側に転送するように構成される。
【００２６】
本開示の一実施形態はさらに、第１のプロセッサと、第１のメモリと、第１の通信バスとを含む、基地局を提供する。
【００２７】
第１の通信バスは、第１のプロセッサと第１のメモリとの間の接続および通信を実現するように構成される。
【００２８】
第１のプロセッサは、前述のデータ伝送トンネルアドレス調整方法のステップを実現するために第１のメモリに格納された１つ以上の第１のプログラムを実行するように構成される。
【００２９】
本開示の一実施形態はさらに、第２のプロセッサと、第２のメモリと、第２の通信バスとを含む、セッション管理機能ネットワーク要素を提供する。
【００３０】
第２の通信バスは、第２のプロセッサと第２のメモリとの間の接続および通信を実現するように構成される。
【００３１】
第２のプロセッサは、前述のデータ伝送トンネルアドレス調整方法のステップを実現するために第２のメモリに格納された１つ以上の第２のプログラムを実行するように構成される。
【００３２】
本開示の一実施形態はさらに、前述のデータ伝送トンネルアドレス調整方法のステップを実現するために１つ以上の第１のプロセッサによって実行される１つ以上の第１のプログラムを格納する、コンピュータ読取可能記憶媒体を提供する。
【００３３】
それに代えて、コンピュータ読取可能記憶媒体は、前述のデータ伝送トンネルアドレス調整方法のステップを実現するために１つ以上の第２のプロセッサによって実行される１つ以上の第２のプログラムを格納する。
【００３４】
本開示は、以下の有益な効果を有する。
本開示の実施形態によって提供される、アドレス調整方法および装置、基地局、ＳＭＦネットワーク要素、および記憶媒体によれば、ソース基地局側からターゲット基地局側への端末のハンドオーバプロセスにおいて、ターゲット基地局側での端末のプロトコルデータユニット（ＰＤＵ）セッションのユーザプレーン機能（ＵＰＦ）分割状態と、ターゲット基地局側でＰＤＵセッションを保持するためのターゲットベアラ基地局とが判定され得る。ターゲットベアラ基地局がＵＰＦネットワーク要素とデータ伝送トンネルを確立するために、ターゲットベアラ基地局によってＰＤＵセッションに割当てられた基地局ダウンリンクアドレスが取得されてＳＭＦネットワーク要素に送信され、ターゲットベアラ基地局に割当てられたＵＰＦネットワーク要素アップリンクアドレスがＳＭＦネットワーク要素から取得される。すなわち、本開示の実施形態では、ソース基地局側からターゲット基地局側への端末のハンドオーバプロセスにおいて、端末のＰＤＵセッションのＵＰＦ分割状態が判定されてもよく、データ伝送トンネルアドレス調整が実現されてもよく、それにより、端末のハンドオーバプロセスにおけるＰＤＵセッションの分割制御の柔軟性を高め、端末がハンドオーバを完了後、ターゲット基地局側がデータ伝送トンネルアドレス調整を行なうためにＰＤＵセッションリソース修正／修正指示または他のプロセスを再度実行することを防止する。ＰＤＵセッションがターゲット基地局側で入るべき分割状態にできるだけ早く入るように、ターゲット基地局側のリソースアドミッション制御効率を向上させることができ、また、ターゲット基地局側とコアネットワークとの間のシグナリングリソースを節約することができる。
【００３５】
本開示の他の特徴および対応する有益な効果が、説明において後述される。また、有益な効果のうちの少なくとも一部が本開示の説明から明らかになるということが理解されるべきである。
【図面の簡単な説明】
【００３６】
【図１】二重接続性作業モードのアーキテクチャ概略図である。
【図２】ＰＤＵセッションのＵＰＦ分割機能を示す概略図である。
【図３】本開示の実施形態１に従った、ターゲット基地局側でのデータ伝送トンネルアドレス調整方法のフローチャートである。
【図４】本開示の実施形態１に従った、ＳＭＦネットワーク要素側でのデータ伝送トンネルアドレス調整方法のフローチャートである。
【図５】本開示の実施形態２に従った、ターゲット基地局側でのデータ伝送トンネルアドレス調整装置の構造図である。
【図６】本開示の実施形態２に従った、ＳＭＦネットワーク要素側でのデータ伝送トンネルアドレス調整装置の構造図である。
【図７】本開示の実施形態２に従った基地局の構造図である。
【図８】本開示の実施形態２に従ったＳＭＦネットワーク要素の構造図である。
【図９】本開示の実施形態３に従った、単一接続性から二重接続性への、および単一トンネルから単一トンネルへのハンドオーバを示す概略図である。
【図１０】本開示の実施形態３に従った、単一接続性から二重接続性への、および単一トンネルから二重トンネルへのハンドオーバを示す概略図である。
【図１１】本開示の実施形態４に従った、二重接続性から二重接続性への、および単一トンネルから二重トンネルへのハンドオーバを示す概略図である。
【図１２】本開示の実施形態４に従った、二重接続性から二重接続性への、および二重トンネルから単一トンネルへのハンドオーバを示す概略図である。
【図１３】本開示の実施形態５に従った、二重接続性から単一接続性への、および二重トンネルから単一トンネルへのハンドオーバを示す概略図である。
【発明を実施するための形態】
【００３７】
詳細な説明
本開示の目的、解決策、および利点をより明確にするために、本開示の実施形態が、実施形態および図面とともに、以下にさらに詳細に説明される。ここに説明される実施形態は、本開示を説明するよう、および本開示を限定しないよう意図されているということが理解されるべきである。
【００３８】
実施形態１
基地局を越える移動プロセスにおいて、既存の端末が当該端末のＰＤＵセッションの分割状態を同時に切換えることができないという問題のために、この実施形態は、データ伝送トンネルアドレス調整方法を提供する。図３に示すように、ターゲット基地局側での方法は、以下に説明されるステップを含む。
【００３９】
Ｓ３０１で、ソース基地局側からターゲット基地局側への端末のハンドオーバプロセスにおいて、ターゲット基地局側での端末のプロトコルデータユニット（ＰＤＵ）セッションのユーザプレーン機能（ＵＰＦ）分割状態と、ターゲット基地局側でＰＤＵセッションを保持するためのターゲットベアラ基地局とが判定される。
【００４０】
この実施形態では、ソース基地局側は基地局を１つだけ含んでいてもよく（このケースは、この実施形態において、ソースマスター基地局のみの含有と呼ばれる）、端末はソース基地局側で単一接続性状態にあること、および、ソース基地局側がソースマスター基地局と少なくとも１つのソース二次基地局とを含む場合、ソース基地局側は二重基地局または多重基地局（多重基地局とは、含まれる基地局の数が２を上回ることを意味する）を含んでいてもよく、端末はソース基地局側で二重／多重接続性状態にあることが、理解されるべきである。同様に、ソース基地局側での端末のＰＤＵセッションのＵＰＦ分割状態は、ＵＰＦ分割（すなわち、少なくとも２つの基地局がＰＤＵセッションを同時に保持する）またはＵＰＦ非分割（すなわち、たった１つの基地局があるＰＤＵセッションを保持する）であってもよい。たとえば、ソース基地局側がソースマスター基地局のみを含み、かつ、端末がソース基地局側で単一接続性状態にある場合、端末のＰＤＵセッションは確実にＵＰＦ非分割状態にある。ソース基地局側が二重基地局または多重基地局を含み、かつ、端末がソース基地局側で二重／多重接続性状態にある場合、端末のＰＤＵセッションはＵＰＦ非分割状態にあってもＵＰＦ分割状態にあってもよい。
【００４１】
この実施形態では、ターゲット基地局側は基地局を１つだけ含んでいてもよく（このケースは、この実施形態において、ターゲットマスター基地局のみの含有と呼ばれる）、端末は、ターゲット基地局側にハンドオーバされた後、ターゲット基地局側で単一接続性状態にある。また、ターゲット基地局側がターゲットマスター基地局と少なくとも１つのターゲット二次基地局とを含む場合、ターゲット基地局側は二重基地局または多重基地局（多重基地局とは、含まれる基地局の数が２を上回ることを意味し、特定の数が柔軟に設定されてもよい）を含んでいてもよく、端末は、ターゲット基地局側にハンドオーバされた後、ターゲット基地局側で二重／多重接続性状態にある。同様に、端末がターゲット基地局側にハンドオーバされた後、ターゲット基地局側でのそのＰＤＵセッションのＵＰＦ分割状態も、ＵＰＦ分割またはＵＰＦ非分割であってもよい。たとえば、ターゲット基地局側がターゲットマスター基地局のみを含み、かつ、端末が、ハンドオーバ後、ターゲットマスター基地局との単一接続性状態にある場合、端末のＰＤＵセッションは、それがハンドオーバ前にソース基地局側でＵＰＦ分割状態にあろうとＵＰＦ非分割状態にあろうと、ターゲット基地局側へのハンドオーバ後にはＵＰＦ非分割状態のみになり得る（したがって、ＰＤＵセッションがハンドオーバ前にソース基地局側でＵＰＦ分割状態にある場合、それはＵＰＦ非分割状態に切換えられる必要がある）。別の例では、ターゲット基地局側が二重基地局または多重基地局を含み、かつ、端末がターゲット基地局側にハンドオーバされた後に二重／多重接続性状態にある場合、端末のＰＤＵセッションはＵＰＦ非分割状態にあってもＵＰＦ分割状態にあってもよく、特定の状態が柔軟に判定されてもよい。ターゲット基地局側へのハンドオーバ後、ＰＤＵセッションはＵＰＦ分割状態にある必要があり、かつ、それはハンドオーバ前にソース基地局側でＵＰＦ非分割状態にあると判定された場合、それはＵＰＦ分割状態に切換えられる必要がある。同様に、ターゲット基地局側へのハンドオーバ後、ＰＤＵセッションはＵＰＦ非分割状態にある必要があり、かつ、それはハンドオーバ前にソース基地局側でＵＰＦ分割状態にあると判定された場合、それはＵＰＦ非分割状態に切換えられる必要がある。
【００４２】
上に示すように、この実施形態では、ターゲット基地局側でＰＤＵセッションを保持するための判定されたターゲットベアラ基地局は、１つの基地局であってもよく（たとえば、ターゲット基地局側での端末のＰＤＵセッションのＵＰＦ分割状態はＵＰＦ分割であると判定された場合）、または、２つ以上の基地局であってもよく（たとえば、ターゲット基地局側での端末のＰＤＵセッションのＵＰＦ分割状態はＵＰＦ非分割であると判定された場合）、判定されたターゲットベアラ基地局は、ターゲットマスター基地局のみ、ターゲット二次基地局のみ、または、ターゲットマスター基地局およびターゲット二次基地局の双方を含んでいてもよい。特定のケースは、特定の状況に従って柔軟に判定されてもよい。
【００４３】
たとえば、ターゲット基地局側での端末のＰＤＵセッションのＵＰＦ分割状態はＵＰＦ分割であると判定された場合、ＰＤＵセッションに含まれるサービス品質（ＱｏＳ）データフローは、ターゲット基地局側で少なくとも２つの基地局によって保持されなければならない。この場合、判定されたターゲットベアラ基地局は、ＰＤＵセッションのＱｏＳデータフローがターゲット基地局側で分割されている基地局である。ＰＤＵセッションがＱｏＳデータフロー１／２／３／４を含み、かつ、ソース基地局側でＵＰＦ非分割状態にあり、ターゲット基地局側がターゲットマスター基地局、第１のターゲット二次基地局、第２のターゲット二次基地局、…、および第Ｎのターゲット二次基地局を含み、かつ、ターゲット基地局側でのＰＤＵセッションのＵＰＦ分割状態はＵＰＦ分割であると判定されると仮定すると、ＱｏＳデータフロー１は第１のターゲット二次基地局によって保持され、ＱｏＳデータフロー２／３／４は第２のターゲット二次基地局によって保持されると判定された場合、判定されたターゲットベアラ基地局は、第１のターゲット二次基地局および第２のターゲット二次基地局のみを含む。ＱｏＳデータフロー１はターゲットマスター基地局によって保持され、ＱｏＳデータフロー２／３／４は第２のターゲット二次基地局によって保持されると判定された場合、判定されたターゲットベアラ基地局は、ターゲットマスター基地局と第２のターゲット二次基地局とを含む。この例では、ターゲット基地局側でのＰＤＵセッションのＵＰＦ分割状態はＵＰＦ非分割であると判定された場合、判定されたターゲットベアラ基地局は、ターゲットマスター基地局、第１のターゲット二次基地局、第２のターゲット二次基地局、…、または第Ｎのターゲット二次基地局のいずれか１つであってもよい。もちろん、ターゲット基地局側でのＰＤＵセッションのＵＰＦ分割状態はＵＰＦ非分割であると判定され、かつ、ターゲット基地局側がターゲットマスター基地局のみを含む場合、判定されたターゲットベアラ基地局はターゲットマスター基地局のみであってもよく、また、上に示すように、ターゲット基地局側がターゲットマスター基地局と少なくとも１つのターゲット二次基地局とを含む場合、判定されたターゲットベアラ基地局は、ターゲット基地局側でＰＤＵセッションを単独で保持する１つの基地局である。
【００４４】
加えて、ターゲット基地局側での端末のＰＤＵセッションのユーザプレーン機能（ＵＰＦ）分割状態が判定される、ソース基地局側からターゲット基地局側への端末のハンドオーバプロセスにおける特定の時点は、特定の利用状況に従って柔軟に設定されてもよいということが理解されるべきである。たとえば、ターゲット基地局側でのＰＤＵセッションのＵＰＦ分割状態は、ソース基地局側からターゲット基地局側への端末のハンドオーバプロセスにおいてハンドオーバされるべきＰＤＵセッションについてのアドミッション制御およびリソース確保を含むハンドオーバ準備をターゲット基地局側が首尾よく完了した後に判定されてもよい。
【００４５】
Ｓ３０２で、ターゲットベアラ基地局によってＰＤＵセッションに割当てられた基地局ダウンリンクアドレスが取得される。
【００４６】
この実施形態では、ターゲット基地局側でターゲットベアラ基地局として選択された基地局は各々、基地局ダウンリンクアドレスをＰＤＵセッションに割当てるであろう。上述のように、たとえば、判定されたターゲットベアラ基地局がターゲットマスター基地局と第２のターゲット二次基地局とを含む場合、ターゲットマスター基地局は、１つの基地局ダウンリンクアドレスをＰＤＵセッションに割当て、第２のターゲット二次基地局は、１つの基地局ダウンリンクアドレスをＰＤＵセッションに割当てるであろう。各基地局によって割当てられた基地局ダウンリンクアドレスは、当該各基地局自体に属する。基地局はさまざまな態様で基地局ダウンリンクアドレスをＰＤＵセッションに割当ててもよいが、さまざまな態様についてはここでは詳細には説明しない。
【００４７】
Ｓ３０３で、取得された基地局ダウンリンクアドレスがＳＭＦネットワーク要素に送信され、ターゲットベアラ基地局に割当てられたＵＰＦネットワーク要素アップリンクアドレスがＳＭＦネットワーク要素から取得される。
【００４８】
この実施形態の一例では、ＵＰＦネットワーク要素アップリンクアドレスはＳＭＦによって割当てられてもよく、次に、ＡＭＦが、ＳＭＦによって割当てられたＵＰＦネットワーク要素アップリンクアドレスをターゲット基地局側に送信する。もちろん、ＡＭＦはまた、他のＮＧＡＰインターフェイスメッセージおよび情報をターゲット基地局側に送信してもよい。したがって、この実施形態の一例では、ターゲット基地局側は、ＡＭＦネットワーク要素を通してＳＭＦネットワーク要素と間接的に通信してもよい。すなわち、基地局ダウンリンクアドレスは、ＡＭＦネットワーク要素を通してＳＭＦネットワーク要素に送信され、ターゲットベアラ基地局に割当てられたＵＰＦネットワーク要素アップリンクアドレスは、ＡＭＦネットワーク要素を通してＳＭＦネットワーク要素から取得される。
【００４９】
この実施形態では、取得された基地局ダウンリンクアドレスがＳＭＦネットワーク要素に送信される場合、各基地局ダウンリンクアドレスは、各基地局ダウンリンクアドレスが属する基地局（すなわち、各基地局ダウンリンクアドレスが属するターゲットベアラ基地局）を特徴付けるために識別されてもよい。ＳＭＦネットワーク要素がこれらの基地局ダウンリンクアドレスを受信後、基地局ダウンリンクアドレスは、その後のデータ伝送トンネルの確立のためにＵＰＦネットワーク要素に送信されてもよく、ＳＭＦネットワーク要素はさらに、ＵＰＦネットワーク要素アップリンクアドレスを、各基地局ダウンリンクアドレスが属するターゲットベアラ基地局に割当ててもよい。特定の割当て態様もさまざまな割当て態様を柔軟に採用してもよいが、さまざまな割当て態様についてはここでは詳細には説明しない。加えて、この実施形態では、ターゲット基地局側でＰＤＵセッションに割当てられたＵＰＦネットワーク要素アップリンクアドレスと、ソース基地局側でＰＤＵセッションに割当てられたＵＰＦネットワーク要素アップリンクアドレスとは、同じアドレスを有していてもよく、または完全に異なっていてもよく、それは、実際に使用される割当てメカニズムおよび現在の実際の利用シナリオに従って具体的に定められてもよいということが理解されるべきである。
【００５０】
上述の例に示すように、判定されたターゲットベアラ基地局がターゲットマスター基地局と第２のターゲット二次基地局とを含む場合、ターゲットマスター基地局は、基地局ダウンリンクアドレス１をＰＤＵセッションに割当て、第２のターゲット二次基地局は、基地局ダウンリンクアドレス３をＰＤＵセッションに割当てるであろう。これらの基地局ダウンリンクアドレスを受信後、ＳＭＦネットワーク要素も、ＵＰＦネットワーク要素アップリンクアドレス１をターゲットマスター基地局に割当て、ＵＰＦネットワーク要素アップリンクアドレス３を第２のターゲット二次基地局に割当てるであろう。
【００５１】
Ｓ３０４で、ターゲットベアラ基地局がＵＰＦネットワーク要素とデータ伝送トンネルを確立するために、取得されたＵＰＦネットワーク要素アップリンクアドレスはターゲットベアラ基地局に送信され、確立されたデータ伝送トンネルは、ＰＤＵセッションを伝送するために使用される。
【００５２】
この実施形態では、端末が２つ以上のＰＤＵセッションを有する場合、データ伝送トンネルアドレス調整が、図３に示す方法に従って、各ＰＤＵセッションについて行なわれてもよいということが理解されるべきである。もちろん、データ伝送トンネルアドレス調整は、図３に示す方法に従って、ＰＤＵセッションの一部について選択的に行なわれてもよい（たとえば、特定の条件または規則を満たすように予め設定された特定のＰＤＵセッションがサポートされてもよい）。さらに、端末のハンドオーバプロセスにおいて、端末のいくつかのＰＤＵセッションのＵＰＦ分割状態を切換える必要があり、別のいくつかのＰＤＵセッションのＵＰＦ分割状態を切換える必要はなく、または、すべてのＰＤＵセッションのＵＰＦ分割状態を切換える必要があり、または、すべてのＰＤＵセッションのＵＰＦ分割状態を切換える必要はない。
【００５３】
上述の例に示すように、ターゲットマスター基地局に割当てられたＵＰＦネットワーク要素アップリンクアドレス１と、第２のターゲット二次基地局に割当てられたＵＰＦネットワーク要素アップリンクアドレス３とが取得された後で、ＵＰＦネットワーク要素アップリンクアドレス１およびＵＰＦネットワーク要素アップリンクアドレス３は、ターゲットマスター基地局および第２のターゲット二次基地局にそれぞれ送信され、ターゲットマスター基地局および第２のターゲット二次基地局は各々、取得されたＵＰＦネットワーク要素アップリンクアドレスと、それ自体によってＰＤＵセッションに割当てられた基地局ダウンリンクアドレスとに基づいて、ＵＰＦネットワーク要素とデータ伝送トンネルを確立してもよい。
【００５４】
図３に示すステップは、ターゲット基地局側によって実行されてもよく、具体的には、ターゲット基地局側での基地局以外の独立機器によって実行されてもよく、または、ターゲット基地局側での基地局によって実行されてもよいということが理解されるべきである。たとえば、ステップは、ターゲット基地局側でのターゲットマスター基地局によって実行されてもよい。ターゲットマスター基地局は、基地局ダウンリンクアドレスとＵＰＦネットワーク要素アップリンクアドレスとの対話を完了するために、ＮＧインターフェイスを通してＡＭＦ／ＳＭＦネットワーク要素と直接対話することができ、また、基地局ダウンリンクアドレスとＵＰＦネットワーク要素アップリンクアドレスとの対話を達成するために、Ｘｎインターフェイスを通して各ターゲット二次基地局と通信してもよい。ターゲットマスター基地局に加えて、ステップはまた、ターゲット基地局側でターゲット二次基地局によって実行されてもよい。たとえば、ターゲット二次基地局は、ターゲットマスター基地局を中継基地局として使用して、他のターゲット二次基地局と通信し、Ｘｎインターフェイスを通してＡＭＦ／ＳＭＦネットワーク要素と間接的に対話し、次に、基地局ダウンリンクアドレスとＵＰＦネットワーク要素アップリンクアドレスとの対話を完了してもよい。もちろん、ステップはまた、前述の独立機器、ターゲットマスター基地局、およびターゲット二次基地局によって共同で実行されてもよい。具体的には、それは、利用シナリオなどの要因に従って柔軟に設定されてもよい。理解を容易にするために、この実施形態は、ターゲット基地局側でのターゲットマスター基地局が図３に示すステップを実行する例を使用して、本開示を説明する。この場合、ターゲット基地局側でのターゲットマスター基地局は、ソース基地局側からハンドオーバされた端末のＰＤＵセッションのターゲット基地局側でのＵＰＦ分割状態と、ターゲット基地局側でＰＤＵセッションに対応するターゲットベアラ基地局とを判定する。ターゲットマスター基地局は、各ターゲットベアラ基地局によってＰＤＵセッションに割当てられた基地局ダウンリンクアドレスを取得し、基地局ダウンリンクアドレスをＡＭＦネットワーク要素を通してＳＭＦネットワーク要素に送信し、ターゲットベアラ基地局に割当てられたＵＰＦネットワーク要素アップリンクアドレスをＡＭＦネットワーク要素を通してＳＭＦネットワーク要素から取得する。次に、ターゲットマスター基地局は、対応するターゲットベアラ基地局（ターゲットマスター基地局自体を含み得る）が、受信されたＵＰＦネットワーク要素アップリンクアドレスとそれ自体によってＰＤＵに割当てられた基地局ダウンリンクアドレスとに従ってＳＭＦネットワーク要素とデータ伝送トンネルを確立するために、取得されたＵＰＦネットワーク要素アップリンクアドレスをターゲットベアラ基地局に送信する。データ伝送トンネルを確立するための特定の態様は、さまざまなトンネル確立態様を柔軟に採用してもよいが、さまざまなトンネル確立態様についてはここでは詳細には説明しない。
【００５５】
この実施形態はさらに、ＳＭＦネットワーク要素側でのデータ伝送トンネルアドレス調整方法を提供する。図４に示すように、方法は、以下に説明されるステップを含む。
【００５６】
Ｓ４０１で、ターゲット基地局側から送信された基地局ダウンリンクアドレスが受信される。
【００５７】
上に示すように、基地局ダウンリンクアドレスは、ソース基地局側からターゲット基地局側への端末のハンドオーバプロセスにおいて、ターゲット基地局側で端末のＰＤＵセッションを保持するためのターゲットベアラ基地局から、ターゲット基地局側によって取得される。オプションで、この実施形態では、ＳＭＦネットワーク要素は、ターゲット基地局側からＡＭＦネットワーク要素を通して基地局ダウンリンクアドレスを受信してもよい。
【００５８】
Ｓ４０２で、各基地局ダウンリンクアドレスが属するターゲットベアラ基地局に、ＵＰＦネットワーク要素アップリンクアドレスが割当てられる。
【００５９】
この実施形態では、ＵＰＦネットワーク要素アップリンクアドレスを各ターゲットベアラ基地局に割当てるための態様は、負荷平衡制御などのさまざまな割当て態様を柔軟に採用してもよいが、さまざまな割当て態様についてはここでは詳細には説明しないということが理解されるべきである。
【００６０】
Ｓ４０３で、割当てられたＵＰＦネットワーク要素アップリンクアドレスは、ターゲット基地局側に送信される。オプションで、ＵＰＦネットワーク要素アップリンクアドレスは、ＡＭＦネットワーク要素を通してターゲット基地局側に送信されてもよい。
【００６１】
上述のように、このステップでは、ＵＰＦネットワーク要素アップリンクアドレスは、ターゲットマスター基地局に送信されてもよい。
【００６２】
この実施形態では、ソース基地局側からターゲット基地局側への端末のハンドオーバプロセスにおいて、端末のＰＤＵセッションのＵＰＦ分割状態が判定されてもよく、データ伝送トンネルアドレス調整が実現されてもよい。たとえば、ソース基地局側での端末のＰＤＵセッションのＵＰＦ分割状態がＵＰＦ非分割であり、かつ、ターゲット基地局側へのハンドオーバ後、ＵＰＦ分割状態はＵＰＦ分割になる必要があると判定された場合、データ伝送トンネルアドレス調整は、判定されたＵＰＦ分割状態に従って実現されてもよい。また、端末がハンドオーバを完了後、データ伝送トンネルアドレス調整を行なうためにＰＤＵセッションリソース修正／修正指示および他のプロセスが再度実行される必要はなく、端末のハンドオーバプロセスにおけるＰＤＵセッション分割制御の柔軟性と、ターゲット基地局側でのリソースアドミッション制御効率とを向上させ、ＰＤＵセッションがターゲット基地局側で入るべき分割状態にできるだけ早く入ることを可能にし、さらに、ターゲット基地局側とコアネットワークとの間のシグナリングリソースを節約する。
【００６３】
実施形態２
この実施形態は、データ伝送トンネルアドレス調整装置を提供する。図５に示すように、装置は、分割処理モジュール５０１と、ダウンリンクアドレス取得モジュール５０２と、アップリンクアドレス取得モジュール５０３と、調整処理モジュール５０４とを含む。
【００６４】
分割処理モジュール５０１は、ソース基地局側からターゲット基地局側への端末のハンドオーバプロセスにおいて、ターゲット基地局側での端末のプロトコルデータユニット（ＰＤＵ）セッションのユーザプレーン機能（ＵＰＦ）分割状態と、ターゲット基地局側でＰＤＵセッションを保持するためのターゲットベアラ基地局とを判定するように構成される。特定の判定プロセスは上述の実施形態に示されており、ここでは詳細には説明されない。
【００６５】
ダウンリンクアドレス取得モジュール５０２は、ターゲットベアラ基地局によってＰＤＵセッションに割当てられた基地局ダウンリンクアドレスを取得するように構成される。特定の取得プロセスは上述の実施形態に示されており、ここでは詳細には説明されない。
【００６６】
アップリンクアドレス取得モジュール５０３は、ダウンリンクアドレス取得モジュール５０２によって取得された基地局ダウンリンクアドレスをＳＭＦネットワーク要素に送信し、ターゲットベアラ基地局に割当てられたＵＰＦネットワーク要素アップリンクアドレスをＳＭＦネットワーク要素から取得するように構成される。特定の取得プロセスは上述の実施形態に示されており、ここでは詳細には説明されない。
【００６７】
調整処理モジュール５０４は、ターゲットベアラ基地局がＵＰＦネットワーク要素とデータ伝送トンネルを確立するために、アップリンクアドレス取得モジュール５０３によって取得されたＵＰＦネットワーク要素アップリンクアドレスをターゲットベアラ基地局に送信するように構成され、確立されたデータ伝送トンネルは、ＰＤＵセッションを伝送するために使用される。特定の取得プロセスは上述の実施形態に示されており、ここでは詳細には説明されない。
【００６８】
図５に示すデータ伝送トンネルアドレス調整装置は、ターゲット基地局側に配置されてもよく、具体的には、ターゲット基地局側での基地局以外の独立機器上に、または、ターゲット基地局側でのターゲットマスター基地局上に、または、ターゲット基地局側でのターゲット二次基地局上に配置されてもよい。さらに、データ伝送トンネルアドレス調整装置の前述のモジュールの機能は、前述の独立機器、ターゲットマスター基地局、またはターゲット二次基地局のプロセッサによって実現されてもよい。
【００６９】
この実施形態はさらに、ＳＭＦネットワーク要素側でのデータ伝送トンネルアドレス調整装置を提供する。図６に示すように、装置は、受信モジュール６０１と、処理モジュール６０２と、送信モジュール６０３とを含む。
【００７０】
受信モジュール６０１は、ターゲット基地局側から送信された基地局ダウンリンクアドレスを受信するように構成される。オプションで、受信モジュール６０１は、ターゲット基地局側からＡＭＦネットワーク要素を通して基地局ダウンリンクアドレスを受信してもよい。上述の実施形態に示すように、基地局ダウンリンクアドレスは、ソース基地局側からターゲット基地局側への端末のハンドオーバプロセスにおいて、ターゲット基地局側で端末のＰＤＵセッションを保持するためのターゲットベアラ基地局から、ターゲット基地局側によって取得される。
【００７１】
処理モジュール６０２は、基地局ダウンリンクアドレスが属するターゲットベアラ基地局に、ＵＰＦネットワーク要素アップリンクアドレスを割当てるように構成される。
【００７２】
送信モジュール６０３は、ＵＰＦネットワーク要素アップリンクアドレスをターゲット基地局側に送信するように構成される。オプションで、送信モジュール６０３は、ＵＰＦネットワーク要素アップリンクアドレスをＡＭＦネットワーク要素を通してターゲット基地局側に送信してもよい。
【００７３】
図６に示すデータ伝送トンネルアドレス調整装置は、ＳＭＦネットワーク要素側に配置されてもよく、具体的には、ＳＭＦネットワーク要素上に、または、アドレス調整を行なうために特別に配置された新たなネットワーク要素上に、または、この機能を実行可能な別のネットワーク要素上に配置されてもよい。さらに、データ伝送トンネルアドレス調整装置の前述のモジュールの機能は、前述のネットワーク要素のプロセッサによって実現されてもよい。
【００７４】
この実施形態はさらに基地局を提供し、それは、ターゲット基地局側に配置されてもよく、ターゲットマスター基地局、ターゲット二次基地局、または、アドレス調整を実現するための専用の基地局であってもよい。図７に示すように、基地局は、第１のプロセッサ７０１と、第１のメモリ７０２と、第１の通信バス７０３とを含む。
【００７５】
第１の通信バス７０３は、第１のプロセッサ７０１と第１のメモリ７０２との間の接続および通信を実現するように構成される。
【００７６】
第１のプロセッサ７０１は、上述の実施形態におけるデータ伝送トンネルアドレス調整方法のステップを実現するために第１のメモリ７０１に格納された１つ以上の第１のプログラムを実行するように構成される。
【００７７】
この実施形態はさらにＳＭＦネットワーク要素を提供する。ＳＭＦネットワーク要素は、ＳＭＦネットワーク要素を含んでいてもよく、ＡＭＦネットワーク要素も含んでいてもよい。図８に示すように、ＳＭＦネットワーク要素は、第２のプロセッサ８０１と、第２のメモリ８０２と、第２の通信バス８０３とを含む。
【００７８】
第２の通信バス８０３は、第２のプロセッサ８０１と第２のメモリ８０２との間の接続および通信を実現するように構成される。
【００７９】
第２のプロセッサ８０１は、上述の実施形態におけるデータ伝送トンネルアドレス調整方法のステップを実現するために第２のメモリ８０１に格納された１つ以上の第２のプログラムを実行するように構成される。
【００８０】
この実施形態はさらに、ターゲット基地局側に適用されるコンピュータ読取可能記憶媒体を提供する。コンピュータ読取可能記憶媒体は、上述の実施形態におけるデータ伝送トンネルアドレス調整方法のステップを実現するために１つ以上の第１のプロセッサによって実行される１つ以上の第１のプログラムを格納する。
【００８１】
この実施形態はさらに、ＳＭＦネットワーク要素側に適用されるコンピュータ読取可能記憶媒体を提供する。コンピュータ読取可能記憶媒体は、上述の実施形態におけるデータ伝送トンネルアドレス調整方法のステップを実現するために１つ以上の第２のプロセッサによって実行される１つ以上の第２のプログラムを格納する。
【００８２】
実施形態３
本開示のよりよい理解のために、この実施形態は、ソース基地局側からターゲット基地局側への端末のハンドオーバプロセスにおける、「ＳＣ−ＤＣ」ハンドオーバシナリオと、端末のあるＰＤＵセッションとを例示する。
【００８３】
ＣＭ接続状態にあるＵＥが基地局を越えて移動する場合、ＵＥの特定のＰＤＵセッションは、ハンドオーバ前にソース基地局側で、およびハンドオーバ後にターゲット基地局側で、ＵＰＦ分割状態またはＵＰＦ非分割状態のうちのいずれか１つにあってもよい。この実施形態では、ＰＤＵセッションが具体的にどの状態にあるかが、ターゲット基地局側でのターゲットマスターノード（ＭＮ）によって判定されてもよい。
【００８４】
この実施形態では、「ＳＣ−ＤＣ」ハンドオーバシナリオとは、単一のソースＮＧ−ＲＡＮノード（すなわち、ソース基地局側はソースＭＮのみを含む）からターゲットＭＮおよびＳＮへのハンドオーバを指す。この場合、ＰＤＵセッションは、ソース基地局側では単一接続性データ伝送モードにあり、そのため、ＰＤＵセッションはＵＰＦ非分割状態のみにあり得る。ハンドオーバプロセスにおいて、ターゲットＭＮがＰＤＵセッションをＵＰＦ非分割状態からＵＰＦ分割状態に直接切換えると決めた場合、ターゲットＭＮおよびＳＮは双方とも、ＰＤＵセッションを保持するためのターゲットベアラ基地局であり、各々、それ自体に属する基地局ダウンリンクアドレスをＰＤＵセッションに割当てる必要がある（このように、ハンドオーバ後、ＰＤＵセッションのＱｏＳフローの一部はＭＮ側にアンカーされ、ＱｏＳフローの他の部分はＳＮ側にアンカーされる）。ターゲットＭＮがＰＤＵセッションをＵＰＦ非分割状態に保つと決めた場合、ターゲットＭＮまたはＳＮが、ＰＤＵセッションを保持するためのターゲットベアラ基地局（ターゲットアンカーとも呼ばれてもよい）であり、ターゲットアンカーであるＭＮまたはＳＮは、それ自体に属するダウンリンクアドレスをＰＤＵセッションに割当てるだけでよい（このように、ハンドオーバ後、ＰＤＵセッションのすべてのＱｏＳフローがＭＮ側またはＳＮ側にアンカーされる）。
【００８５】
この実施形態では、ターゲットＭＮは、データ伝送トンネルのために、PATH SWITCH REQUESTメッセージまたはHANDOVER REQUEST ACKNOWLEDGEメッセージを通して、ターゲットＭＮ／ＳＮ側によって割当てられたそれぞれの基地局ダウンリンクアドレスを、（ＡＭＦ／ＳＭＦなどの）制御プレーン機能ネットワーク要素に提供してもよい。
【００８６】
次に、ＰＤＵセッションがＵＰＦ分割状態に切換えられる場合、ＳＭＦネットワーク要素は、ＭＮ側およびＳＮ側での別々の使用のために、２つのＵＰＦネットワーク要素アップリンクアドレスをＰＤＵセッションに割当てる必要がある。ＰＤＵセッションがＵＰＦ非分割状態に保たれる場合、ＳＭＦは、ＭＮ側またはＳＮ側での使用のために、１つのＵＰＦネットワーク要素アップリンクアドレスをＰＤＵセッションに割当てるだけでよい。
【００８７】
ＡＭＦ／ＳＭＦは、データ伝送トンネルのために、PATH SWITCH REQUEST ACKNOWLEDGEメッセージまたはHANDOVER REQUESTメッセージを通して、ＭＮ／ＳＮ側でのそれぞれのＵＰＦネットワーク要素アップリンクアドレスをターゲットＭＮに提供してもよい。
【００８８】
この実施形態では、PATH SWITCH REQUESTメッセージおよびPATH SWITCH REQUEST ACKNOWLEDGEメッセージ、ならびに、HANDOVER REQUEST ACKNOWLEDGEメッセージおよびHANDOVER REQUESTメッセージに加えて、ターゲットＭＮとＡＭＦ／ＳＭＦとはまた、上述のアドレス間の対話が実現可能である限り、特定の利用シナリオに従った他のメッセージを使用することによって対話してもよいということが理解されるべきである。
【００８９】
ターゲットＳＮ側に対応する基地局ダウンリンクアドレスおよびＵＰＦネットワーク要素アップリンクアドレスは、ＸｎＡＰ（すなわち、Ｘｎインターフェイスアプリケーション層プロトコル）メッセージフロー：ＳＮ追加／修正を通して、ターゲットＭＮとターゲットＳＮとの間で転送されてもよい。もちろん、ターゲットＳＮとターゲットＭＮとの間での基地局ダウンリンクアドレスとＵＰＦネットワーク要素アップリンクアドレスとの対話はまた、任意の他のメッセージを使用することによって達成されてもよい。
【００９０】
たとえば、ターゲットＳＮはＭＮに、ＸｎＡＰ新メッセージフロー：RAN TNL INFO INDICATIONを通して、基地局ダウンリンクアドレスを転送してもよく、ターゲットＭＮはターゲットＳＮに、ＸｎＡＰ新メッセージフロー：UPF TNL INFO INDICATIONを通して、ＵＰＦネットワーク要素アップリンクアドレスを転送してもよい。
【００９１】
この実施形態では、ＵＰＦネットワーク要素アップリンクアドレスは、柔軟な構成を形成し、ＭＮ／ＳＮとの関係を使用してもよい。たとえば、あるＵＰＦネットワーク要素アップリンクアドレスは、ターゲットＭＮまたはあるターゲットＳＮのデータ伝送トンネルによって特別に使用されるように構成されてもよく、また、ターゲットＭＮと少なくとも１つの（たとえば１つの）ターゲットＳＮとによって共有されるように構成されてもよい。この場合、少なくとも２つのデータ伝送トンネルが、１つのＵＰＦネットワーク要素アップリンクアドレスを共有する。
【００９２】
「ＳＣ−ＤＣ」シナリオが「ＳＣ−ＭＣ」シナリオに拡張される場合、すなわち、ターゲット基地局側でのターゲット基地局の数Ｎが３以上であり、かつ、端末のＰＤＵセッションがＵＰＦ分割状態に切換えられる場合、基地局ダウンリンクアドレスの数およびＵＰＦネットワーク要素アップリンクアドレスの数は、多重接続の数とともに対応して増加する、すなわち、２からＮ（すなわち、多重接続の数）に増加するということが理解されるべきである。
【００９３】
理解を容易にするために、以下の２つの特定の利用シナリオが例示される。
シナリオ１
図９に示すように、あるＵＥは、ソース基地局側に配置された単一接続性作業モードにあり、３つのＱｏＳフロー１／２／３を含むたった１つのＰＤＵセッションを有する。ソース基地局側でのソースＭＮとＵＰＦとの間には、たった１つのＧＴＰデータ伝送トンネルが存在し、このトンネルは、ＭＮ側でのＵＰＦアップリンクデータ伝送チャネルアドレス１およびダウンリンクデータ伝送チャネルアドレス１に対応する。ＵＥは基地局を越えて移動するため、ＵＥがターゲット基地局側に移動してターゲット基地局側にアクセスした後で、ＵＥは、二重接続性作業モードに入るように直接構成される。ターゲットＭＮが、ＰＤＵセッション全体をターゲットＳＮ側に転送すると決める（ターゲットＳＮ側はターゲットアンカーである）。したがって、ＰＤＵセッションはＵＰＦ非分割状態に保たれ、ターゲットアンカーであるＳＮは、それ自体に属する基地局ダウンリンクアドレスをＰＤＵセッションに割当てるだけでよく、ＭＮは、それ自体に属するいずれの基地局ダウンリンクアドレスもＰＤＵセッションに割当てる必要はなく、情報転送および対話を実現するだけでよい。特定のプロセスを以下に説明する：
（１）  ターゲットＳＮは、それ自体に属する基地局ダウンリンクアドレス（ＳＮ側でのダウンリンクデータ伝送チャネルアドレス）をＰＤＵセッションに割当て、それを、ＸｎＡＰメッセージ：SN ADDITION REQUEST ACKNOWLEDGEを通してターゲットＭＮに転送する；
（２）  ターゲットＭＮは、データ伝送トンネルのために、PATH SWITCH REQUESTメッセージまたはHANDOVER REQUEST ACKNOWLEDGEメッセージを通して、ターゲットＳＮ側によって割当てられた基地局ダウンリンクアドレスをＡＭＦ／ＳＭＦに提供する；
（３）  ＰＤＵセッションはＵＰＦ非分割状態に保たれるため、ＳＭＦは、ＳＮ側でのアップリンク使用のために、１つのＵＰＦネットワーク要素アップリンクアドレスをＰＤＵセッションに割当てるだけでよい；
（４）  ＡＭＦ／ＳＭＦは、データ伝送トンネルのために、PATH SWITCH REQUEST ACKNOWLEDGEメッセージまたはHANDOVER REQUESTメッセージを通して、ＳＮ側に割当てられたＵＰＦネットワーク要素アップリンクアドレスをターゲットＭＮに転送する；
（５）  ターゲットＭＮは、使用のために、ＸｎＡＰメッセージ：SN RECONFIGURATION COMPLETEを通して、ＳＮ側に対応するＵＰＦネットワーク要素アップリンクアドレスをＳＮ側に転送する；
（６）  上述のアドレス調整態様によれば、取得されたアドレスに基づいて、ターゲットＳＮとＵＰＦとの間に１つのＧＴＰデータ伝送トンネルが首尾よく確立され、ＧＴＰデータ伝送トンネルは、ＰＤＵセッションにおけるすべてのＱｏＳフロー１／２／３のその後の伝送およびサービスのために使用される。
【００９４】
シナリオ２
図１０に示すように、あるＵＥは、ソース基地局側で単一接続性作業モードにあり、３つのＱｏＳフロー１／２／３を含むたった１つのＰＤＵセッションを有する。ソース基地局側でのソースＭＮとＵＰＦとの間には、たった１つのＧＴＰデータ伝送トンネルが存在し、このトンネルは、ＭＮ側でのＵＰＦアップリンクデータ伝送チャネルアドレス１およびダウンリンクデータ伝送チャネルアドレス１に対応する。ＵＥは基地局を越えて移動するため、ＵＥがターゲット基地局側に移動してターゲット基地局側にアクセスした後で、ＵＥは、二重接続性作業モードに入るように直接構成される。ターゲットＭＮが、ＰＤＵセッションにおけるＱｏＳフロー２／３をターゲットＳＮ側に転送し、ＱｏＳフロー１をターゲットＭＮ側で維持すると決める。したがって、ＰＤＵセッションはＵＰＦ分割状態に切換えられ、ターゲットアンカーであるＭＮおよびＳＮは各々、それ自体に属する基地局ダウンリンクアドレスをＰＤＵセッションに割当てる必要があり、ＭＳＦは、２つのＵＰＦアップリンクデータ伝送チャネルアドレスをＰＤＵセッションに割当てる必要がある。特定のプロセスを以下に説明する：
（１）  ターゲットＳＮは、それ自体に属する基地局ダウンリンクアドレス（ＳＮ側でのダウンリンクデータ伝送チャネルアドレス）をＰＤＵセッションに割当て、それを、ＸｎＡＰメッセージ：RAN TNL INFO INDICATIONを通してターゲットＭＮに転送する；
（２）  ターゲットＭＮは、データ伝送トンネルのために、PATH SWITCH REQUESTメッセージまたはHANDOVER REQUEST ACKNOWLEDGEメッセージを通して、ターゲットＭＮ側およびターゲットＳＮ側によって割当てられたそれぞれの基地局ダウンリンクアドレス（全部で２つのダウンリンクアドレス）をＡＭＦ／ＳＭＦに提供する；
（３）  ＰＤＵセッションはＵＰＦ分割状態に切換えられるため、ＳＭＦは、ＭＮ側およびＳＮ側でのアップリンク使用のために、２つのＵＰＦネットワーク要素アップリンクアドレス１１および２２をそれぞれＰＤＵセッションに割当てる必要がある；
（４）  ＡＭＦ／ＳＭＦは、２つのデータ伝送トンネルのために、PATH SWITCH REQUEST ACKNOWLEDGEメッセージまたはHANDOVER REQUESTメッセージを通して、ＭＮ側およびＳＮ側に割当てられたＵＰＦネットワーク要素アップリンクアドレス１１および２２をターゲットＭＮに転送する。ＵＰＦネットワーク要素アップリンクアドレス１１および２２を受信後、ターゲットＭＮは、ＭＮ側に対応するＵＰＦネットワーク要素アップリンクアドレス１１を格納して使用する；
（５）  ターゲットＭＮは、使用のために、ＸｎＡＰメッセージ：UPF TNL INFO INDICATIONを通して、ＳＮ側に対応するＵＰＦネットワーク要素アップリンクアドレス２２をＳＮ側に転送する；
（６）  上述のアドレス調整態様によれば、取得されたアドレスに基づいて、ターゲットＭＮ／ＳＮとＵＰＦとの間に２つのＧＴＰデータ伝送トンネルが首尾よく確立され、ＧＴＰデータ伝送トンネルは、ＵＰＦ分割状態にあるＰＤＵセッションにおけるＱｏＳフロー１およびＱｏＳフロー２／３のその後の伝送およびサービスのために別々に使用される。
【００９５】
実施形態４
本開示のよりよい理解のために、この実施形態は、ソース基地局側からターゲット基地局側への端末のハンドオーバプロセスにおける、「ＤＣ−ＤＣ」ハンドオーバシナリオと、端末のあるＰＤＵセッションとを例示する。
【００９６】
ＣＭ接続状態にあるＵＥが基地局を越えて移動する場合、ＵＥのあるＰＤＵセッションは、ハンドオーバ前にソース基地局側で、およびハンドオーバ後にターゲット基地局側で、ＵＰＦ分割状態またはＵＰＦ非分割状態のうちのいずれか１つにあってもよい。この実施形態では、ＰＤＵセッションが具体的にどの状態にあるかが、依然としてターゲット基地局側でのターゲットマスターノード（ＭＮ）によって判定されてもよい。
【００９７】
この実施形態における「ＤＣ−ＤＣ」シナリオとは、ソースマスターノードおよび二次ノード（ＭＮ／ＳＮ）からターゲットマスターノードおよび二次ノード（ＭＮ／ＳＮ）へのハンドオーバを指す。この場合、ＰＤＵセッションは、ソース基地局側ではＵＰＦ非分割状態にあってもＵＰＦ分割状態にあってもよい。ターゲットＭＮが、ＰＤＵセッションはターゲット基地局側ではＵＰＦ分割状態にある必要があると判定した場合、ターゲットＭＮおよびＳＮは各々、それ自体に属する基地局ダウンリンクアドレスをＰＤＵセッションに割当てる必要がある（このように、ハンドオーバ後、ＰＤＵセッションのＱｏＳフローの一部はＭＮ側にアンカーされ、ＱｏＳフローの他の部分はＳＮ側にアンカーされる）。ターゲットＭＮがＰＤＵセッションをＵＰＦ非分割状態に直接切換えると決めた場合、ターゲットＭＮは、それ自体またはターゲットＳＮがＰＤＵセッションを単独で保持することを選択してもよい。この場合、ターゲットアンカーであるＭＮまたはＳＮは、それ自体に属する基地局ダウンリンクアドレスをＰＤＵセッションに割当てるだけでよい（このように、ハンドオーバ後、ＰＤＵセッションのすべてのＱｏＳフローがＭＮ側またはＳＮ側にアンカーされる）。
【００９８】
この実施形態では、ターゲットＭＮはまた、データ伝送トンネルのために、PATH SWITCH REQUESTメッセージまたはHANDOVER REQUEST ACKNOWLEDGEメッセージを通して、ターゲットＭＮ／ＳＮ側によって割当てられたそれぞれの基地局ダウンリンクアドレスを、（ＡＭＦ／ＳＭＦなどの）制御プレーン機能ネットワーク要素に提供してもよい。
【００９９】
次に、ＰＤＵセッションがＵＰＦ分割状態に切換えられる場合、ＳＭＦネットワーク要素は、ＭＮ側およびＳＮ側での別々の使用のために、２つのＵＰＦネットワーク要素アップリンクアドレスをＰＤＵセッションに割当てる必要がある。ＰＤＵセッションがＵＰＦ非分割状態に切換えられる場合、ＳＭＦネットワーク要素は、ＭＮ側またはＳＮ側での使用のために、１つのＵＰＦネットワーク要素アップリンクアドレスをＰＤＵセッションに割当てるだけでよい。以前にソース基地局側で２つのＵＰＦネットワーク要素アップリンクアドレスがＰＤＵセッションに割当てられた場合、アドレスのうちの少なくとも一方が、ＳＭＦネットワーク要素によって解除され、取り戻されてもよい。
【０１００】
ＡＭＦ／ＳＭＦは、データ伝送トンネルのために、PATH SWITCH REQUEST ACKNOWLEDGEメッセージまたはHANDOVER REQUESTメッセージを通して、ＭＮ／ＳＮ側でのそれぞれのＵＰＦネットワーク要素アップリンクアドレスをターゲットＭＮに提供してもよい。この実施形態では、PATH SWITCH REQUESTメッセージおよびPATH SWITCH REQUEST ACKNOWLEDGEメッセージ、ならびに、HANDOVER REQUEST ACKNOWLEDGEメッセージおよびHANDOVER REQUESTメッセージに加えて、ターゲットＭＮとＡＭＦ／ＳＭＦとはまた、上述のアドレス間の対話が実現可能である限り、特定の利用シナリオに従った他のメッセージを使用することによって対話してもよいということが理解されるべきである。
【０１０１】
ターゲットＳＮ側に対応する基地局ダウンリンクアドレスおよびＵＰＦネットワーク要素アップリンクアドレスは、ＸｎＡＰメッセージフロー：ＳＮ追加／修正を通して、ターゲットＭＮとターゲットＳＮとの間で転送されてもよい。もちろん、ターゲットＳＮとターゲットＭＮとの間での基地局ダウンリンクアドレスとＵＰＦネットワーク要素アップリンクアドレスとの対話はまた、任意の他のメッセージを使用することによって達成されてもよい。
【０１０２】
たとえば、ターゲットＳＮはＭＮに、ＸｎＡＰ新メッセージフロー：RAN TNL INFO INDICATIONを通して、基地局ダウンリンクアドレスを転送してもよく、ターゲットＭＮはターゲットＳＮに、ＸｎＡＰ新メッセージフロー：UPF TNL INFO INDICATIONを通して、ＵＰＦネットワーク要素アップリンクアドレスを転送してもよい。
【０１０３】
この実施形態では、ＵＰＦネットワーク要素アップリンクアドレスは、柔軟な構成を形成し、ＭＮ／ＳＮとの関係を使用してもよい。たとえば、あるＵＰＦネットワーク要素アップリンクアドレスは、ターゲットＭＮまたはあるターゲットＳＮのデータ伝送トンネルによって特別に使用されるように構成されてもよく、また、ターゲットＭＮとあるターゲットＳＮとによって共有されるように構成されてもよい。
【０１０４】
「ＤＣ−ＤＣ」シナリオが「ＤＣ−ＭＣ」、「ＭＣ−ＤＣ」、または「ＭＣ−ＭＣ」シナリオに拡張され、かつ、ＰＤＵセッションがＵＰＦ分割状態に切換えられる場合、基地局ダウンリンクアドレスの数およびＵＰＦネットワーク要素アップリンクアドレスの数は、多重接続の数とともに対応して増加する、すなわち、２からＮ（すなわち、多重接続の数）に増加するということが理解されるべきである。
【０１０５】
理解を容易にするために、以下の２つの特定の利用シナリオが例示される。
シナリオ３
図１１に示すように、あるＵＥは、ソース基地局側で二重接続性作業モードにあり、３つのＱｏＳフロー１／２／３を含むたった１つのＰＤＵセッションを有する。すべてのＱｏＳフロー１／２／３は、ソースＳＮ側にアンカーされる。ソース基地局側でのソースＳＮとＵＰＦとの間には、たった１つのＧＴＰデータ伝送トンネルが存在し、このトンネルは、ＳＮ側でのＵＰＦアップリンクデータ伝送チャネルアドレス２およびダウンリンクデータ伝送チャネルアドレス２に対応する。ＵＥは基地局を越えて移動するため、ＵＥがターゲット基地局側に移動してターゲット基地局側にアクセスした後で、ＵＥは、二重接続性作業モードに入るように直接構成される。ターゲットＭＮが、ＰＤＵセッションにおけるＱｏＳフロー１／２をターゲットＭＮ側に転送し、ＱｏＳフロー３をターゲットＳＮ側で維持すると決める。したがって、ＰＤＵセッションはＵＰＦ分割状態に切換えられ、ターゲットアンカーであるＭＮおよびＳＮは各々、それ自体に属する基地局ダウンリンクアドレスをＰＤＵセッションに割当てる必要があり、ＵＰＦは、２つのＵＰＦアップリンクデータ伝送チャネルアドレスをＰＤＵセッションに割当てる必要がある。特定のプロセスを以下に説明する：
（１）  ターゲットＳＮは、それ自体に属する基地局ダウンリンクアドレス（ＳＮ側でのダウンリンクデータ伝送チャネルアドレス）をＰＤＵセッションに割当て、それを、ＸｎＡＰメッセージ：RAN TNL INFO INDICATIONを通してターゲットＭＮに転送する；
（２）  ターゲットＭＮは、データ伝送トンネルのために、PATH SWITCH REQUESTメッセージまたはHANDOVER REQUEST ACKNOWLEDGEメッセージを通して、ターゲットＭＮ側およびターゲットＳＮ側によって割当てられたそれぞれの基地局ダウンリンクアドレス（全部で２つのダウンリンクアドレス）をＡＭＦ／ＳＭＦに提供する；
（３）  ＰＤＵセッションはＵＰＦ分割状態に切換えられるため、ＳＭＦは、ＭＮ側およびＳＮ側でのアップリンク使用のために、２つのＵＰＦネットワーク要素アップリンクアドレス１１および２２をそれぞれＰＤＵセッションに割当てる必要がある；
（４）  ＡＭＦ／ＳＭＦは、２つのデータ伝送トンネルのために、PATH SWITCH REQUEST ACKNOWLEDGEメッセージまたはHANDOVER REQUESTメッセージを通して、ＭＮ側およびＳＮ側に割当てられたＵＰＦネットワーク要素アップリンクアドレス１１および２２をターゲットＭＮに転送する。ＵＰＦネットワーク要素アップリンクアドレス１１および２２を受信後、ターゲットＭＮは、ＭＮ側に対応するＵＰＦネットワーク要素アップリンクアドレス１１を格納して使用する；
（５）  ターゲットＭＮは、使用のために、ＸｎＡＰメッセージ：UPF TNL INFO INDICATIONを通して、ターゲットＳＮ側に対応するＵＰＦネットワーク要素アップリンクアドレス２２をターゲットＳＮ側に転送する；
（６）  上述のアドレス調整態様によれば、ターゲットＭＮ／ＳＮとＵＰＦとの間に２つのＧＴＰデータ伝送トンネルが首尾よく確立され、ＧＴＰデータ伝送トンネルは、ＵＰＦ分割状態にあるＰＤＵセッションにおけるＱｏＳフロー１／２およびＱｏＳフロー３のその後の伝送およびサービスのために別々に使用される。
【０１０６】
シナリオ４
図１２に示すように、あるＵＥは、ソース基地局側で二重接続性作業モードにあり、３つのＱｏＳフロー１／２／３を含むたった１つのＰＤＵセッションを有する。ソース基地局側でのソースＭＮは、ＰＤＵセッションにおけるＱｏＳフロー１／２をソースＭＮ側にアンカーし、ＱｏＳフロー３をソースＳＮ側にアンカーすると決める。ソース基地局側でのソースＭＮ／ＳＮとＵＰＦとの間には、２つのＧＴＰデータ伝送トンネルが存在し、これらのトンネルは、ＭＮ側およびＳＮ側での２つのＵＰＦアップリンクデータ伝送チャネルアドレス１および２ならびにそれぞれのダウンリンクデータ伝送チャネルアドレスに対応する。ＵＥは基地局を越えて移動するため、ＵＥがターゲット基地局側に移動してターゲット基地局側にアクセスした後で、ＵＥは、二重接続性作業モードに入るように直接構成される。ターゲットＭＮが、ＰＤＵセッションにおけるすべてのＱｏＳフロー１／２／３をターゲットＳＮ側に転送すると決める。したがって、ＰＤＵセッションはＵＰＦ非分割状態に切換えられ、ターゲットＳＮは、それ自体に属する基地局ダウンリンクアドレスをＰＤＵセッションに割当てる必要があり、ＵＰＦは、１つのＵＰＦアップリンクデータ伝送チャネルアドレスをＰＤＵセッションに割当てるだけでよく、ターゲットＭＮは、それ自体に属する基地局ダウンリンクアドレスをＰＤＵセッションに割当てる必要はない。特定のプロセスを以下に説明する：
（１）  ターゲットＳＮは、それ自体に属する基地局ダウンリンクアドレス（ＳＮ側でのダウンリンクデータ伝送チャネルアドレス）をＰＤＵセッションに割当て、それを、ＸｎＡＰメッセージ：RAN TNL INFO INDICATIONを通してターゲットＭＮに転送する；
（２）  ターゲットＭＮは、データ伝送トンネルのために、PATH SWITCH REQUESTメッセージまたはHANDOVER REQUEST ACKNOWLEDGEメッセージを通して、ターゲットＳＮ側によって割当てられた基地局ダウンリンクアドレス（１つのダウンリンクアドレス）をＡＭＦ／ＳＭＦに提供する；
（３）  ＰＤＵセッションはＵＰＦ非分割状態に切換えられるため、ＳＭＦは、ＳＮ側でのアップリンク使用のために、ＵＰＦネットワーク要素アップリンクアドレス２２をＰＤＵセッションに割当てるだけでよい。以前に割当てられた他方のＵＰＦネットワーク要素アップリンクアドレス１１は、ＳＭＦによって再利用され、削除されてもよい；
（４）  ＡＭＦ／ＳＭＦは、データ伝送トンネルのために、PATH SWITCH REQUEST ACKNOWLEDGEメッセージまたはHANDOVER REQUESTメッセージを通して、ターゲットＳＮ側に割当てられたＵＰＦネットワーク要素アップリンクアドレス２２をターゲットＭＮに転送する；
（５）  ターゲットＭＮは、使用のために、ＸｎＡＰメッセージ：UPF TNL INFO INDICATIONを通して、ターゲットＳＮ側に対応するＵＰＦネットワーク要素アップリンクアドレス２２をターゲットＳＮ側に転送する；
（６）  上述のアドレス調整態様によれば、ターゲットＳＮとＵＰＦとの間に１つのＧＴＰデータ伝送トンネルが首尾よく確立され、ＧＴＰデータ伝送トンネルは、ＵＰＦ非分割状態にあるＰＤＵセッションにおけるすべてのＱｏＳフロー１／２／３のその後の伝送およびサービスのために使用される。
【０１０７】
実施形態５
本開示のよりよい理解のために、この実施形態は、ソース基地局側からターゲット基地局側への端末のハンドオーバプロセスにおける、「ＤＣ−ＳＣ」ハンドオーバシナリオと、端末のあるＰＤＵセッションとを例示する。
【０１０８】
ＣＭ接続状態にあるＵＥが基地局を越えて移動する場合、ＵＥの特定のＰＤＵセッションは、ハンドオーバ前にソース基地局側で、およびハンドオーバ後にターゲット基地局側で、ＵＰＦ分割状態またはＵＰＦ非分割状態のうちのいずれか１つにあってもよい。この実施形態では、ＰＤＵセッションが具体的にどの状態にあるかが、ターゲット基地局側でのターゲットマスターノード（ＭＮ）によって判定されてもよい。
【０１０９】
この実施形態における「ＤＣ−ＳＣ」シナリオとは、ソースマスターノードおよび二次ノード（ＭＮ／ＳＮ）から単一のターゲットＮＧ−ＲＡＮノード（この実施形態では、ターゲットＭＮのみの含有と呼ばれる）へのハンドオーバを指す。この場合、ＰＤＵセッションは、ターゲット基地局側ではＵＰＦ非分割状態のみにあり得る。ＰＤＵセッションがソース基地局側ではＵＰＦ分割状態にある場合、ターゲットＭＮは、ＰＤＵセッションをＵＰＦ非分割状態に直接切換えることのみ可能である。ＰＤＵセッションがソース基地局側ではＵＰＦ非分割状態にある場合、ターゲットＭＮはＰＤＵセッションをＵＰＦ非分割状態に保ち、ターゲットＭＮは、それ自体に属する基地局ダウンリンクアドレスをＰＤＵセッションに割当てるだけでよい。
【０１１０】
この実施形態では、ターゲットＭＮは、データ伝送トンネルのために、PATH SWITCH REQUESTメッセージまたはHANDOVER REQUEST ACKNOWLEDGEメッセージを通して、ターゲットＭＮによって割当てられた基地局ダウンリンクアドレスを、（ＡＭＦ／ＳＭＦなどの）制御プレーン機能ネットワーク要素に提供してもよい。
【０１１１】
次に、ＰＤＵセッションがＵＰＦ非分割状態に切換えられ、ＳＭＦは、ターゲットＭＮによる使用のために、１つのＵＰＦネットワーク要素アップリンクアドレスをＰＤＵセッションに割当てるだけでよい。以前にソース基地局側で２つのＵＰＦネットワーク要素アップリンクアドレスがＰＤＵセッションに割当てられた場合、アドレスのうちの一方が、ＳＭＦによって解除され、取り戻されてもよい。
【０１１２】
ＡＭＦ／ＳＭＦは、データ伝送トンネルのために、PATH SWITCH REQUEST ACKNOWLEDGEメッセージまたはHANDOVER REQUESTメッセージを通して、単一のターゲット基地局側でのＵＰＦネットワーク要素アップリンクアドレスを単一のターゲット基地局に提供してもよい。この実施形態では、PATH SWITCH REQUESTメッセージおよびPATH SWITCH REQUEST ACKNOWLEDGEメッセージ、ならびに、HANDOVER REQUEST ACKNOWLEDGEメッセージおよびHANDOVER REQUESTメッセージに加えて、ターゲットＭＮとＡＭＦ／ＳＭＦとはまた、上述のアドレス間の対話が実現可能である限り、特定の利用シナリオに従った他のメッセージを使用することによって対話してもよいということが理解されるべきである。
【０１１３】
「ＤＣ−ＳＣ」シナリオが「ＭＣ−ＳＣ」シナリオに拡張され、ＰＤＵセッションがＵＰＦ分割非状態に切換えられ、かつ、以前に２つ、３つ、またはそれ以上のＵＰＦネットワーク要素アップリンクアドレスがＰＤＵセッションに割当てられた場合、解除され取り戻されたＵＰＦネットワーク要素アップリンクアドレスの数は、多重接続の数とともに対応して増加する、すなわち、１からＮ−１（Ｎは多重接続の数である）に増加するということが理解されるべきである。
【０１１４】
理解を容易にするために、以下の１つの特定の利用シナリオが例示される。
図１３に示すように、あるＵＥは、ソース基地局側で二重接続性作業モードにあり、３つのＱｏＳフロー１／２／３を含むたった１つのＰＤＵセッションを有する。ソース基地局側でのソースＭＮは、ＰＤＵセッションにおけるＱｏＳフロー１をソースＭＮ側にアンカーし、ＱｏＳフロー２／３をソースＳＮ側にアンカーすると決める。ソース基地局側でのソースＭＮ／ＳＮとＵＰＦとの間には、２つのＧＴＰデータ伝送トンネルが存在し、これらのトンネルは、ＭＮ側およびＳＮ側での２つのＵＰＦアップリンクデータ伝送チャネルアドレス１１および２２ならびにそれぞれのダウンリンクデータ伝送チャネルアドレスに対応する。ＵＥは基地局を越えて移動するため、ＵＥがターゲット基地局側に移動してターゲット基地局側にアクセスした後で、ＵＥは、単一接続性作業モードに入るように直接構成される。ターゲットＭＮは、ＰＤＵセッションにおけるすべてのＱｏＳフロー１／２／３をターゲットＭＮ側に転送することのみ可能である。したがって、ＰＤＵセッションはＵＰＦ非分割状態に切換えられ、ターゲットＭＮは、それ自体に属する基地局ダウンリンクアドレスをＰＤＵセッションに割当てる必要があり、ＵＰＦは、１つのＵＰＦアップリンクデータ伝送チャネルアドレスをＰＤＵセッションに割当てるだけでよい。ＳＣに入った後に、ターゲットＳＮが削除される。特定のプロセスを以下に説明する：
（１）  ターゲットＭＮは、それ自体に属する基地局ダウンリンクアドレス（すなわち、ＭＮ側でのダウンリンクデータ伝送チャネルアドレス）をＰＤＵセッションに割当て、ＳＣに入った後に、ターゲットＳＮは削除される；
（２）  ターゲットＭＮは、データ伝送トンネルのために、PATH SWITCH REQUESTメッセージまたはHANDOVER REQUEST ACKNOWLEDGEメッセージを通して、ターゲットＭＮ側によって割当てられた基地局ダウンリンクアドレス（たった１つのダウンリンクアドレスが含まれる）をＡＭＦ／ＳＭＦに提供する；
（３）  ＰＤＵセッションはＵＰＦ非分割状態に切換えられるため、ＳＭＦは、ＭＮ側でのアップリンク使用のために、ＵＰＦネットワーク要素アップリンクアドレス１１（以前にソース基地局側で割当てられたＵＰＦネットワーク要素アップリンクアドレス１１と同じであっても異なっていてもよい）をＰＤＵセッションに割当てるだけでよい。以前にソース基地局側で割当てられた他方のＵＰＦネットワーク要素アップリンクアドレス２２は、ＳＭＦによって再利用され、削除されてもよい；
（４）  ＡＭＦ／ＳＭＦは、データ伝送トンネルのために、PATH SWITCH REQUEST ACKNOWLEDGEメッセージまたはHANDOVER REQUESTメッセージを通して、ＭＮ側に割当てられたＵＰＦネットワーク要素アップリンクアドレス１１をターゲットＭＮに転送する；
（５）  上述のアドレス調整態様によれば、ターゲットＭＮとＵＰＦとの間に１つのＧＴＰデータ伝送トンネルが首尾よく確立され、ＧＴＰデータ伝送トンネルは、ＵＰＦ非分割状態にあるＰＤＵセッションにおけるすべてのＱｏＳフロー１／２／３のその後の伝送およびサービスのために使用される。
【０１１５】
本開示によって例示されたデータ伝送トンネルアドレス調整方法は、既存の技術では基地局を越えるハンドオーバプロセスにおいてＰＤＵセッションをＵＰＦ分割状態とＵＰＦ非分割状態との間で切換えることができないという限界を克服して、ＰＤＵセッション切換えプロセスにおける分割制御の柔軟性を高めることができ、また、ターゲット基地局側がデータ伝送トンネルアドレス調整を行なうためにＰＤＵセッションリソース修正／修正指示または他のプロセスを再度実行することを防止することができる。ＰＤＵセッションがＵＰＦ分割またはＵＰＦ非分割というより妥当な状態にできるだけ早く入るように、ターゲット基地局側のリソースアドミッション制御効率を向上させることができ、また、基地局とコアネットワークとの間のシグナリングリソースを節約することができる。
【０１１６】
本開示の実施形態における前述のモジュールまたはステップの各々は、汎用コンピューティングデバイスによって実現されてもよく、モジュールまたはステップは、単一のコンピューティングデバイスに集中されてもよく、もしくは、複数のコンピューティングデバイスから構成されたネットワーク上に分散されてもよく、それに代えて、モジュールまたはステップは、コンピューティングデバイスによって実行可能なプログラムコードによって実現されてもよく、そのため、モジュールまたはステップは、コンピュータ記憶媒体（読出専用メモリ（read-only memory：ＲＯＭ）／ランダムアクセスメモリ（random access memory：ＲＡＭ）、磁気ディスク、または光ディスクなど）に格納され、コンピューティングデバイスによって実行されてもよいということが、明らかに、当業者によって理解されるべきである。状況によっては、例示または説明されたステップは、ここに説明されたものとは異なる順序で実行されてもよく、もしくは、実現のために、モジュールまたはステップは、別々にさまざまな集積回路モジュールになり、もしくは、複数のモジュールまたはステップが、単一の集積回路モジュールになる。したがって、本開示は、ハードウェアとソフトウェアとのどの特定の組合せにも限定されない。
【０１１７】
前述の事項は、本開示の実施形態および実現化例のより詳細な説明である。この説明は、本開示の実施形態を限定するよう意図されてはいない。本開示が関わる技術分野の当業者のために、本開示の概念から逸脱しない多くの単純な演繹または置換が行なわれてもよく、それらは本開示の範囲内に入るべきである。
【産業上の利用可能性】
【０１１８】
本開示は通信分野に適用可能であり、端末のハンドオーバプロセスにおけるＰＤＵセッションの分割制御の柔軟性を高めるために、および、端末がハンドオーバを完了後、ターゲット基地局側がデータ伝送トンネルアドレス調整を行なうためにＰＤＵセッションリソース修正／修正指示または他のプロセスを再度実行することを防止するために使用される。ＰＤＵセッションがターゲット基地局側で入るべき分割状態にできるだけ早く入るように、ターゲット基地局側のリソースアドミッション制御効率を向上させることができ、また、ターゲット基地局側とコアネットワークとの間のシグナリングリソースを節約することができる。
【図１】
2021516019.tif 000003
【図２】
2021516019.tif 000004
【図３】
2021516019.tif 000005
【図４】
2021516019.tif 000006
【図５】
2021516019.tif 000007
【図６】
2021516019.tif 000008
【図７】
2021516019.tif 000009
【図８】
2021516019.tif 000010
【図９】
2021516019.tif 000011
【図１０】
2021516019.tif 000012
【図１１】
2021516019.tif 000013
【図１２】
2021516019.tif 000014
【図１３】
2021516019.tif 000015
【国際調査報告】
2021516019.tif 000016
2021516019.tif 000017
2021516019.tif 000018
2021516019.tif 000019